(57)【要約】  移動体通信システム用の移動体通信システムアンカーエンティティが提供される。移動体通信システムは、少なくとも１つのユーザ機器にサービスを提供する少なくとも１つのエンティティを有し、少なくとも１つのエンティティおよび少なくとも１つのユーザ機器は、共通システム情報領域に配置されている。移動体通信システムは、最小システム情報を少なくとも１つのユーザ機器に送信することを実行する回路を有し、最小システム情報は、システム情報領域識別子情報を含む。【選択図】図１
2019535200.tif 000002
【特許請求の範囲】
【請求項１】
少なくとも１つのユーザ機器にサービスを提供する少なくとも１つのエンティティを含む移動体通信システムのための移動体通信システムアンカーエンティティであって、
前記少なくとも１つのエンティティおよび前記少なくとも１つのユーザ機器は共通のシステム情報領域に配置され、
最小システム情報が、前記少なくとも１つのユーザ機器に送信され、前記最小システム情報は、システム情報領域識別子情報を含むように構成された回路を備えた
移動体通信システムアンカーエンティティ。
【請求項２】
請求項１に記載の移動体通信システムアンカーエンティティであって、
前記最小システム情報は、前記システム情報領域内のエンティティに関する情報を含む移動体通信システムアンカーエンティティ。
【請求項３】
請求項１に記載の移動体通信システムアンカーエンティティであって、
前記回路は、要求に応じて前記システム情報領域内のエンティティに関する情報を前記少なくとも１つのユーザ機器に送信するようにさらに構成されている移動体通信システムアンカーエンティティ。
【請求項４】
請求項３に記載の移動体通信システムアンカーエンティティであって、
エンティティに関する前記情報は、前記ユーザ装置の移動速度および移動方向のうちの少なくとも１つに基づいて送信される移動体通信システムアンカーエンティティ。
【請求項５】
請求項１に記載の移動体通信システムアンカーエンティティであって、
前記システム情報領域内の各エンティティが前記最小システム情報を送信する移動体通信システムアンカーエンティティ。
【請求項６】
請求項１に記載の移動体通信システムアンカーエンティティであって、
前記最小システム情報は、前記ユーザ機器からのアップリンク参照信号または測定報告のうちの少なくとも１つの検出時に送信される移動体通信システムアンカーエンティティ。
【請求項７】
請求項６に記載の移動体通信システムのアンカーエンティティであって、
前記ユーザ機器は、ＩＤＬＥ、ＣＯＮＮＥＣＴＥＤ、およびＩＮＡＣＴＩＶＥ ＣＯＮＮＥＣＴＥＤのうちの少なくとも１つの状態にある移動体通信システムアンカーエンティティ。
【請求項８】
請求項１に記載の移動体通信システムアンカーエンティティであって、
前記回路は、前記システム情報領域識別子情報を送信するように構成されている移動体通信システムアンカーエンティティ。
【請求項９】
請求項８に記載の移動体通信システムのアンカーエンティティであって、
前記回路は、前記システム情報領域内に位置する他のエンティティのシステム情報を送信するようにさらに構成されている移動体通信システムのアンカーエンティティ。
【請求項１０】
請求項８に記載の移動体通信システムアンカーエンティティであって、
前記回路は、前記システム情報領域の他のエンティティと共通のシステム情報を送信するようにさらに構成されている移動体通信システムアンカーエンティティ。
【請求項１１】
（１０）に記載の移動体通信システムアンカーエンティティであって、
前記共通のシステム情報は、共通サービスシステム情報を含む移動体通信システムアンカーエンティティ。
【請求項１２】
請求項１０に記載の移動体通信システムアンカーエンティティであって、
前記共通のシステム情報は、共通リソース関連情報を含む移動体通信システムアンカーエンティティ。
【請求項１３】
請求項８に記載の移動体通信システムアンカーエンティティであって、
他のアンカーエンティティが前記システム情報領域内に配置され、前記回路は、少なくとも２つの前記アンカーエンティティのための単一周波数ネットワーク、または少なくとも２つの前記アンカーエンティティのための異なるブロードキャストチャネルのうちの少なくとも１つに基づいて前記最小システム情報の送信を実行するようにさらに構成される移動体通信システムアンカーエンティティ。
【請求項１４】
請求項１３に記載の移動体通信システムアンカーエンティティであって、
前記アンカーエンティティは第１の移動体通信システムエンティティであり、他のアンカーエンティティは第２の移動体通信システムエンティティであり、送信される前記最小システム情報は、第１の移動体通信システムおよび第２の移動体通信システムに関するシステム情報を含む移動体通信システムアンカーエンティティ。
【請求項１５】
請求項１に記載の移動体通信システムアンカーエンティティであって、
前記最小システム情報は、アンカーセルを示すためのインジケータを含む移動体通信システムアンカーエンティティ。
【請求項１６】
請求項１に記載の移動体通信システムアンカーエンティティであって、
同期信号は、アンカーセルを示すためのインジケータを含む移動体通信システムアンカーエンティティ。
【請求項１７】
請求項１に記載の移動体通信システムアンカーエンティティであって、
前記回路は、アップリンク参照信号の受信に応答して、アンカーエンティティシステム情報を送信するようにさらに構成されている移動体通信システムアンカーエンティティ。
【請求項１８】
請求項１に記載の移動体通信システムアンカーエンティティであって、
前記システム情報領域構成は動的に変更可能である移動体通信システムアンカーエンティティ。
【請求項１９】
請求項１８に記載の移動体通信システムアンカーエンティティであって、
前記システム情報領域構成の動的変更は、前記システム情報領域の分割、システム情報領域の併合、前記システム情報領域内のアンカーエンティティの変更、前記システム情報領域へのセルの追加、前記システム情報領域からのセルの削除のうちの少なくとも１つを含む移動体通信システムアンカーエンティティ。
【請求項２０】
請求項１８に記載の移動体通信システムアンカーエンティティであって、
前記回路は、前記システム情報領域構成の変更に応答して、前記最小システム情報に含まれる更新されたシステム情報を送信するようにさらに構成される移動体通信システムアンカーエンティティ。
【請求項２１】
請求項１８に記載の移動体通信システムアンカーエンティティであって、
前記回路は、前記システム情報領域構成の変更に応答してページングメッセージで更新されたシステム情報を送信するようにさらに構成される移動体通信システムアンカーエンティティ。
【請求項２２】
少なくとも１つのユーザ機器にサービスを提供する少なくとも１つのアンカーセルエンティティを含む移動体通信システムのための移動体通信システムエンティティであって、
前記少なくとも１つのエンティティおよび前記少なくとも１つのユーザ機器は、共通システム情報領域に配置され、前記少なくとも１つのアンカーセルエンティティは、最小システム情報を前記少なくとも１つのユーザ機器に送信し、
他のシステム情報およびスケジューリング情報のうちの少なくとも１つを前記少なくとも１つのユーザ機器に送信する回路を備えた
移動体通信システムエンティティ。
【請求項２３】
請求項２２に記載の移動体通信システムエンティティであって、
前記他のシステム情報またはスケジューリング情報は、前記少なくとも１つのユーザ機器から送信された要求の受信に応答して送信される移動体通信システムエンティティ。
【請求項２４】
請求項２３に記載の移動体通信システムエンティティであって、
前記要求は、アンカーエンティティとして構成されている前記エンティティに送信される移動体通信システムエンティティ。
【請求項２５】
請求項２４に記載の移動体通信システムエンティティであって、
前記他のシステム情報の内容は、前記要求に基づいている移動体通信システムエンティティ。
【請求項２６】
請求項２４に記載の移動体通信システムエンティティであって、
前記アンカーエンティティは、前記他のシステム情報を送信するように他のエンティティに通知する移動体通信システムエンティティ。
【請求項２７】
請求項２３に記載の移動体通信システムエンティティであって、
前記要求は、ターゲットエンティティとして構成されている前記エンティティに送信される移動体通信システムエンティティ。
【請求項２８】
請求項２７に記載の移動体通信システムエンティティであって、
前記回路は、前記要求に応じて、前記他のシステム情報を前記ユーザ機器にユニキャストまたはブロードキャストするようにさらに構成されている移動体通信システムエンティティ。
【請求項２９】
請求項２７に記載の移動体通信システムエンティティであって、
前記回路は、前記他のシステム情報を送信するように前記アンカーエンティティに通知するようにさらに構成されている移動体通信システムエンティティ。
【請求項３０】
少なくとも１つのユーザ機器にサービスを提供する少なくとも１つのアンカーセルエンティティを含む移動体通信システムのための移動体通信システムエンティティであって、
前記少なくとも１つのエンティティおよび前記少なくとも１つのユーザ機器は共通システム情報領域に配置され、前記少なくとも１つのアンカーセルエンティティは、最小システム情報を前記少なくとも１つのユーザ機器に送信し、
ハンドオーバコマンドにおいて、新しいシステム情報領域識別子、構成情報、およびアンカーエンティティ識別子のうちの少なくとも１つを送信するように構成された回路を備えた
移動体通信システムエンティティ。
【請求項３１】
ユーザ機器にサービスを提供する少なくとも１つのエンティティを含む移動体通信システムのためのユーザ機器であって、
前記少なくとも１つのエンティティおよび前記ユーザ機器は共通システム情報領域に配置され、
前記ユーザ機器は、
システム情報領域識別子情報を含む最小システム情報を受信し、
受信した前記システム情報領域識別子情報に基づいて、新しいシステム情報領域が入力されたかどうか（whether a new system information area is entered）を判定する
ように構成された回路を備える
ユーザ機器。
【請求項３２】
請求項３１に記載のユーザ機器であって、
前記回路は、前記システム情報領域内のエンティティについての情報を受信するようにさらに構成されているユーザ機器。
【請求項３３】
請求項３２に記載のユーザ機器であって、
前記回路は、前記システム情報領域内のエンティティに関する前記情報を要求するようにさらに構成されているユーザ機器。
【請求項３４】
請求項３１に記載のユーザ機器であって、
前記回路は、アップリンク参照信号および測定報告のうちの少なくとも１つを送信するようにさらに構成されているユーザ機器。
【発明の詳細な説明】
【技術分野】
【０００１】
本開示は一般に移動体通信システムのエンティティおよびユーザ機器に関する。
【背景技術】
【０００２】
移動体通信システムとしては、いくつかの世代が知られている。International Mobile Telecommunications-2000（IMT-2000）仕様に基づく第３世代（「3G」）、International Mobile Telecommunications-Advanced Standard（IMT- Advanced Standard）で定義されている機能を提供する第４世代（「4G」）、および現在開発中であり、2020年に実施される可能性がある現在の第５世代（「5G」）がある。
【０００３】
５Ｇの要件を提供する候補は、いわゆるロングタームエボリューション（ＬＴＥ）であり、これは、携帯電話およびデータ端末のための高速データ通信を可能にし、４Ｇ移動体通信システムにすでに使用されている無線通信技術である。５Ｇ要件を満たすための他の候補は、新無線アクセス技術システム（ＮＲ）と呼ばれる。ＬＴＥが前世代の移動通信技術に基づいていたように、ＮＲはＬＴＥ技術に基づいてもよい。
【０００４】
ＬＴＥは、第２世代（「２Ｇ」）のＧＳＭ／ＥＤＧＥ（「グローバル移動体通信システム」／「ＥＧＰＲＳとも呼ばれる「ＧＳＭエボリューションの拡張データレート」）および第3世代「3G」通信技術のＵＭＴＳ／ＨＳＰＡ（「ユニバーサル移動体通信システム」／「高速パケットアクセス」）に基づく。
【０００５】
ＬＴＥは、３ＧＰＰ（「第３世代パートナーシッププロジェクト」）の管理下で標準化されている。３ＧＰＰの管理下で同じく標準化されている基本ＬＴＥとして、より高いデータレートを可能にする後継ＬＴＥ−Ａ（ＬＴＥアドバンスト）が存在する。
【０００６】
将来的には、３ＧＰＰはＬＴＥ−Ａをさらに開発し、５Ｇの技術的要件を満たすことができるようにする予定である。
【０００７】
５ＧシステムはそれぞれＬＴＥまたはＬＴＥ−Ａに基づいているため、５Ｇ技術の特定の要件は、基本的に、ＬＴＥおよびＬＴＥ−Ａ標準文書ですでに定義されている機能および方法で対処されると想定される。
【０００８】
５Ｇ技術は、いわゆる「仮想セル」または「ローカルセル」などの概念を可能にし、ＮＲに基づいてもよい。この概念では、セルは、ユーザ装置（「ＵＥ」）、例えば、モバイル通信インターフェースを含む、携帯電話、コンピュータ、タブレット、タブレット型パーソナルコンピュータなど、または、例えば、ＬＴＥ（−Ａ）を介して移動体通信を実行することができる他の任意の装置、例えば移動体通信インターフェースを有するホットスポット装置その他のデバイスによってサービス提供される。要するに、ＵＥは、仮想セルまたはローカルセルの近傍にある他のＵＥとネットワークとの間に間接的なネットワーク接続を確立するための中間ノードとして、および／またはＵＥ間の中間ノードとして動的に動作する。ＵＥ上の中間ノードの機能は、「仮想化」によっても実行され得る。仮想セルまたはローカルセルは、免許不要帯域、共有免許帯域、または免許帯域でＵＥと通信することができ、好ましくは免許帯域でネットワークに返信（backhaul）する。
【０００９】
コントロールプレーンとユーザプレーンとの間の論理的分離は、ＬＴＥ用のＩＰマルチメディアシステム（ＩＭＳ）の導入に従って達成されており、コントロールプレーンとユーザプレーンとの間の物理的分離は、５ＧまたはＮＲに対する可能な解決策として提案されている。サービス継続性を維持するために、コントロールプレーンに対する要件は基本的に頑強性および広いカバレッジであるべきであるので、マクロエンティティまたはアンカーエンティティ（例えば基地局または発展型ＮｏｄｅＢ）はコントロールプレーンのリンクを提供するべきである。他方、ユーザプレーンの重要な性能は、セル容量を改善するための効率的なスペクトル使用法である。しかしながら、ユーザプレーンの要件は特定の使用事例またはＵＥ能力／カテゴリに大きく依存しているので、「ネットワークスライシング」のような５Ｇのための概念を考慮に入れて、それぞれの使用事例またはＵＥの能力／カテゴリに従って、様々なタイプの受信／送信またはルーティング方法が考慮される。
【００１０】
５Ｇ技術の場合、仮想セル、ローカルセル、マイクロセルまたはピコセル、送信／受信ポイント（ＴＲＰ）などとして機能するＵＥまたは他のＮＲ局が責任を引き継ぐことができなければならないことが想定され、これらは通常、例えば基地局、またはＬＴＥで呼ばれるようにｅＮｏｄｅＢ（発展型ＮｏｄｅＢ）で処理される（ｅＮｏｄｅＢはＬＴＥの発展型ＵＴＲＡの要素であり、ＵＴＲＡはＵＭＴＳ地上無線アクセスである）。仮想セルまたは他のＮＲ局または上述のエンティティとしてＵＥにおいて実行されることが想定されるそのような責任は、例えば、無線リソース管理、無線リソース制御（ＲＲＣ）、接続制御などである。しかしながら、５Ｇ技術のためのシグナリング技術が存在するが、シグナリングを改善することが一般に望ましい。
【発明の概要】
【発明が解決しようとする課題】
【００１１】
５Ｇ技術の場合、仮想セル、ローカルセル、マイクロセルまたはピコセル、送信／受信ポイント（ＴＲＰ）などとして機能するＵＥまたは他のＮＲ局が責任を引き継ぐことができなければならないことが想定され、これらは通常、例えば基地局、またはＬＴＥで呼ばれるようにｅＮｏｄｅＢ（発展型ＮｏｄｅＢ）で処理される（ｅＮｏｄｅＢはＬＴＥの発展型ＵＴＲＡの要素であり、ＵＴＲＡはＵＭＴＳ地上無線アクセスである）。仮想セルまたは他のＮＲ局または上述のエンティティとしてＵＥにおいて実行されることが想定されるそのような責任は、例えば、無線リソース管理、無線リソース制御（ＲＲＣ）、接続制御などである。しかしながら、５Ｇ技術のためのシグナリング技術が存在するが、シグナリングを改善することが一般に望ましい。
【課題を解決するための手段】
【００１２】
第１の態様によれば、本開示は、少なくとも１つのユーザ機器にサービスを提供する少なくとも１つのエンティティを含む移動体通信システムのための移動体通信システムアンカーエンティティを提供し、前記少なくとも１つのエンティティおよび前記少なくとも１つのユーザ機器は共通システム情報領域に配置され、最小システム情報を前記少なくとも１つのユーザ機器に送信するように構成された回路を備え、最小システム情報はシステム情報領域識別子情報を含む。
【００１３】
第２の態様によれば、本開示は、少なくとも１つのユーザ機器にサービスを提供する少なくとも１つのアンカーセルエンティティを含む移動体通信システムのための移動体通信システムエンティティを提供し、前記少なくとも１つのエンティティおよび前記少なくとも１つのユーザ機器は、共通システム情報領域に配置され、少なくとも１つのアンカーセルエンティティは、少なくとも１つのユーザ機器に最小システム情報を送信し、少なくとも１つのユーザ機器に他のシステム情報およびスケジューリング情報のうちの少なくとも１つを送信するように構成された回路を備える。
【００１４】
第３の態様によれば、本開示は、少なくとも１つのユーザ機器にサービスを提供する少なくとも１つのアンカーセルエンティティを含む移動体通信システムのための移動体通信システムエンティティを提供し、前記少なくとも１つのエンティティおよび前記少なくとも１つのユーザ機器は共通システム情報領域に配置され、少なくとも１つのアンカーセルエンティティは、最小システム情報を少なくとも１つのユーザ機器に送信し、ハンドオーバコマンドにおいて、新しいシステム情報領域識別子、構成情報、およびアンカーエンティティ識別情報のうちの少なくとも１つを送信するように構成された回路を備える。
【００１５】
第４の態様によれば、本開示は、ユーザ機器にサービスを提供する少なくとも１つのエンティティを含む移動体通信システムのためのユーザ機器を提供し、前記少なくとも１つのエンティティおよび前記ユーザ機器は、共通システム情報領域に配置され、ユーザ機器は、システム情報領域識別子情報を含む最小システム情報を受信するように構成された回路を備える。そして、受信したシステム情報領域識別情報に基づいて、新たなシステム情報領域が入力されたか否か（whether a new system information area is entered）を判定する。
【００１６】
さらなる態様は、従属請求項、以下の説明、および図面に記載されている。
【図面の簡単な説明】
【００１７】
【図１】ＬＴＥセルとＮＲセルとを含む無線アクセスネットワークを示す図である。
【図２】システム情報配信に関するシステム情報の送信方式を示す図である。
【図３】システム情報配信に関するシステム情報の送信方式を示す図である。
【図４】システム情報配信に関するシステム情報の送信方式を示す図である。
【図５】アンカーセル構成に関するシステム情報の送信方式を示す図である。
【図６】アンカーセル構成に関するシステム情報の送信方式を示す図である。
【図７】同一システム情報領域内のシステム情報提供に関するシステム情報の伝送方式を示す図である。
【図８】ＵＥの要求によってトリガされるシステム情報の送信方式を示す図である。
【図９】ＵＥの要求によってトリガされるシステム情報の送信方式を示す図である。
【図１０】ネットワークによってトリガされるシステム情報の送信方式を示す図である。
【図１１】異なるシステム情報領域にわたるシステム提供に関するシステム情報のための送信方式を示す図である。
【図１２】システム情報領域の再構成に関するシステム情報の送信方式を示す図である。
【図１３】本明細書で説明されるエンティティまたはユーザ機器を実装するために使用され得る汎用コンピュータを示す概略図である。
【発明を実施するための形態】
【００１８】
図１を参照して実施形態を詳細に説明する前に、一般的な説明をする。
【００１９】
最初に述べたように、一般に、移動体通信システムとしては、いくつかの世代が知られている。International Mobile Telecommunications-2000（IMT-2000）仕様に基づく第3世代（「3G」）、International Mobile Telecommunications-Advanced Standard（IMT- Advanced Standard）で定義されている機能を提供する第4世代（「4G」）、および現在開発中であり、2020年に実施される可能性がある現在の第5世代（「5G」）がある。
【００２０】
５Ｇの要件を提供する候補は、いわゆるロングタームエボリューション（ＬＴＥ）であり、これは、携帯電話およびデータ端末のための高速データ通信を可能にし、４Ｇ移動体通信システムにすでに使用されている無線通信技術である。５Ｇ要件を満たすための他の候補は、新無線アクセス技術システム（ＮＲ）と呼ばれる。ＬＴＥが前世代の移動通信技術に基づいていたように、ＮＲはＬＴＥ技術に基づいてもよい。
【００２１】
ＬＴＥは、第２世代（「２Ｇ」）のＧＳＭ／ＥＤＧＥ（「グローバル移動体通信システム」／「ＥＧＰＲＳとも呼ばれる「GSMエボリューションの拡張データレート」）および第3世代「3G」通信技術のＵＭＴＳ／ＨＳＰＡ（「ユニバーサル移動体通信システム」／「高速パケットアクセス」）に基づく。
【００２２】
ＬＴＥは、３ＧＰＰ（「第３世代パートナーシッププロジェクト」）の管理下で標準化されている。３ＧＰＰの管理下で同じく標準化されている基本ＬＴＥとして、より高いデータレートを可能にする後継ＬＴＥ−Ａ（ＬＴＥアドバンスト）が存在する。
【００２３】
将来的には、３ＧＰＰはＬＴＥ−Ａをさらに開発し、５Ｇの技術的要件を満たすことができるようにする予定である。
【００２４】
５ＧシステムはそれぞれＬＴＥまたはＬＴＥ−Ａに基づいているため、５Ｇ技術の特定の要件は、基本的に、ＬＴＥおよびＬＴＥ−Ａ標準文書ですでに定義されている機能および方法で対処されると想定される。
【００２５】
５Ｇ技術は、いわゆる「仮想セル」、「ローカルセル」、「分散ユニット」、「ＴＲＰ（Transmission/Reception Point）」などの概念を可能にし、ＮＲに基づいてもよい。この概念では、セルは、ユーザ装置（「ＵＥ」）、例えば、モバイル通信インターフェースを含む、携帯電話、コンピュータ、タブレット、タブレット型パーソナルコンピュータなど、または、例えば、ＬＴＥ（−Ａ）を介して移動体通信を実行することができる他の任意の装置、例えば移動体通信インターフェースを有するホットスポット装置その他のデバイスによってサービス提供される。要するに、ＵＥは、仮想セルまたはローカルセルの近傍にある他のＵＥとネットワークとの間に間接的なネットワーク接続を確立するための中間ノードとして、および／またはＵＥ間の中間ノードとして動的に動作する。ＵＥ上の中間ノードの機能は、「仮想化」によっても実行され得る。仮想セル、ローカルセル、分散ユニット、またはＴＲＰ（Transmission/Reception Point）は、免許不要帯域、共有免許帯域、または免許帯域でＵＥと通信することができ、好ましくは免許帯域でネットワークに返信（backhaul）する。
【００２６】
コントロールプレーンとユーザプレーンとの間の論理的分離は、ＬＴＥ用のＩＰマルチメディアシステム（ＩＭＳ）の導入に従って達成されており、コントロールプレーンとユーザプレーンとの間の物理的分離は、５ＧまたはＮＲに対する可能な解決策として提案されている。サービス継続性を維持するために、コントロールプレーンに対する要件は基本的に頑強性および広いカバレッジであるべきであるので、マクロエンティティまたはアンカーエンティティ（例えば基地局または発展型ノードＢ）はコントロールプレーンのリンクを提供するべきである。他方、ユーザプレーンの重要な性能は、セル容量を改善するための効率的なスペクトル使用法である。しかしながら、ユーザプレーンの要件は特定の使用事例またはＵＥ能力／カテゴリに大きく依存しているので、「ネットワークスライシング」のような５Ｇのための概念を考慮に入れて、それぞれの使用事例またはＵＥの能力／カテゴリに従って、様々なタイプの受信／送信またはルーティング方法が考慮される。
【００２７】
５Ｇ技術の場合、仮想セル、ローカルセル、マイクロセルまたはピコセル、送信／受信ポイント（ＴＲＰ）などとして機能するＵＥまたは他のＮＲ局が責任を引き継ぐことができなければならないことが想定され、これらは通常、例えば基地局、またはＬＴＥで呼ばれるようにｅＮｏｄｅＢ（進化型ノードＢ）で処理される（ｅＮｏｄｅＢはＬＴＥの進化型ＵＴＲＡの要素であり、ＵＴＲＡはＵＭＴＳ地上無線アクセスである）。仮想セルまたは他のＮＲ局または上述のエンティティとしてＵＥにおいて実行されることが想定されるそのような責任は、例えば、無線リソース管理、無線リソース制御（ＲＲＣ）、接続制御などである。
【００２８】
言及したように、いくつかの実施形態では、Ｎｅｗ Ｒａｄｉｏ（ＮＲ）と呼ばれる５Ｇ用に開発された新しいＲａｄｉｏ Ａｃｃｅｓｓ Ｔｅｃｈｎｏｌｏｇｙ（ＲＡＴ）をローカルセルおよび仮想セルで使用することができるが、ＮＲ ｅＮｏｄｅＢおよび場合によってはＴＲＰによって提供されるスモールセルもあり得る。
【００２９】
３ＧＰＰ文書Ｒ２−１６４８０９、「システム情報領域」、３ＧＰＰ ＴＳＧ ＲＡＮ ＷＧ会議＃９５、スウェーデン、イェーテボリ、2016年8月22〜26日には、４つのシナリオがＮＲシステム情報強化研究について列挙され、さらに、システム情報領域の概念が紹介されています。
【００３０】
システム情報領域（ＳＩＡ）は、いくつかの実施形態では、ＳＩＡ内のすべてのＴＲＰ／ビームが少なくともいくつかの共通の必須システム情報（ＳＩ）およびおそらくブロードキャストされる非必須ＳＩの一部で構成されるエリアであり得る。いくつかの実施形態では、これがシステムフレーム番号を含む場合、同じＳＩＡ内のすべてのＴＲＰが同期される。ブロードキャストは、各ＴＲＰによって個別に（同期されている場合は単一周波数ネットワーク（ＳＦＮ）送信）、および／またはオーバーレイノード（たとえば、ＬＦマクロ）を介して、および／またはローカルＴＲＰブロードキャストとカバレッジオーバーレイノードとの組み合わせ、例えば各ＴＲＰによってローカルにブロードキャストされた異なるＳＩ−Ｙ、および他の共通の必須ＳＩ(ＳＩ−Ｘ)＋オーバーレイされたノードを介してブロードキャストされる非必須ＳＩによって処理できる。（ここで、ＳＩ−Ｘは、Ｒ２−１６４８０９において、早期に取得することができる潜在的に複数のＴＲＰ／ビームを含む領域にわたる共通部分として定義され、ＳＩ−Ｙは、ＲＡＣＨを実行する前にのみ取得され得るＴＲＰ／ビーム固有部分として定義される。）
【００３１】
代替的に又は追加的に、ＳＩＡは、ＳＩＡカバレッジにわたってオーバーレイノード（例えば、ＬＦマクロ）によって一般にブロードキャストされるＳＩＡ内の異なるＴＲＰによって使用される潜在的に異なる必須のＳＩのセットであり得る。
【００３２】
いくつかの実施形態は、システム情報領域をどのように構成／再構成するか、およびシステム情報領域にわたってシステム情報をどのように提供するかという問題に関する。
【００３３】
いくつかの実施形態では、システム情報領域の概念は、効率的なシステム情報配信のためにＮＲシステム情報送信／受信においてサポートされ得る。いくつかの実施形態は、システム情報領域識別子ならびに１つのシステム情報領域内のアンカーセルを含むシステム情報領域を動的に構成／再構成する方法に関する解決策に関する。さらに、いくつかの実施形態は、同じまたは異なるシステム情報領域内でオンデマンドシステム情報を送信する方法に関する解決策に関する。
【００３４】
いくつかの実施形態では、システム情報領域は１つまたは複数のエンティティからなる。（例えば、ＬＴＥおよび／またはＮＲ ｅＮｏｄｅＢ、ＬＴＥ／ＮＲ中央ユニット（ＣＵ）、ＬＴＥ／ＮＲ分散ユニット（ＤＵ）、ＬＴＥ／ＮＲ送受信ポイント（ＴＲＰ）など。）上述のように、このシステム情報領域内では、システム情報（または最小システム情報）は、異なるエンティティ間で同じであるかまたは異なる。いくつかの実施形態では、各システム情報領域は一意の識別子を有し、この識別子は新しいシステム情報領域に移動するか否かを判断するためにＵＥによって使用されることになる。
【００３５】
いくつかの実施形態では、述べられたように、システム情報領域は、アンカーエンティティまたはアンカーセル（または２つ以上のアンカーエンティティ／セル）が提供されるときに導入される。
【００３６】
前述のように、いくつかの実施形態では、システム情報領域は１つまたは複数のエンティティの集合体であり、これらのエンティティの中には、他のエンティティのシステム情報および／またはスケジューリング情報を収集し、収集されたシステムおよび／またはスケジューリング情報をこれらの他のエンティティに代わってＵＥに送信する１つまたは複数のアンカーセル（アンカーエンティティ）が提供される。以下でさらに論じる。
【００３７】
それによって、いくつかの実施形態では、１つまたは複数のアンカーエンティティ／セルがシステム情報および／またはスケジューリング情報の送信を引き継ぐので、システム情報送信のために他のエンティティ／セルによって使用される無線リソースを解放することができる。それによって、データ送信のための無線リソースのパーセンテージが改善され得、他のエンティティ／セル上の制御シグナリングオーバーヘッドが低減され得る。
【００３８】
さらに、アンカーエンティティ上で受信されたシステム情報に基づいて、他のエンティティ／セルへの初期アクセス手順が加速されてもよく、および／または特定のエンティティ／セルにアクセスしないという早期決定が行われてもよい。したがって、システム情報領域内でアンカーセルをどのように構成／再構成するかは、いくつかの実施形態では重要であり得る。
【００３９】
一般に、上述のように基地局、ｅＮｏｄｅＢなどのエンティティは、ＬＴＥ（ＬＴＥ−Ａ）の原理に基づいてもよく、および／または上述のようにＮＲ ＲＡＴに基づいてもよい。一例として、エンティティはＬＴＥの既知のｅＮｏｄｅＢに基づいてもよく、または論じられたＮＲ ｅＮｏｄｅＢに基づいてもよい。本明細書で論じられるように、ユーザ機器は、例えば、モバイル通信インターフェースを含む携帯電話、スマートフォン、コンピュータ、タブレット、タブレットパーソナルコンピュータなど、または例えば、ＬＴＥまたはＮＲを介して移動体通信を実行することができる任意の他の装置、例えば、移動体通信インターフェースを有するホットスポット装置などであり得る。
【００４０】
いくつかの実施形態は、少なくとも１つのユーザ機器にサービスを提供する少なくとも１つのエンティティを含む移動体通信システムのための移動体通信システムエンティティ、特にアンカーエンティティに関し、上述のように、少なくとも１つのエンティティおよび少なくとも１つのユーザ機器は、共通のシステム情報領域に配置される。（アンカー）エンティティは、最小システム情報を少なくとも１つのユーザ機器に送信するように構成された回路を含み、最小システム情報はシステム情報領域識別子情報を含む。回路は、プロセッサ、マイクロプロセッサ、専用回路、メモリ、記憶装置、無線インターフェース、ワイヤレスインターフェース、ネットワークインタフェースなど、例えば、基地局、例えばｅＮｏｄｅＢに含まれる典型的な電子部品のうちの少なくとも１つを含み得る。最小システム情報は、セルアクセス情報、セル選択情報、他のＳＩを取得するための情報（最小ＳＩに含まれていない全て）などを含んでもよい。（アンカー）エンティティは、一般に知られているように、それぞれの（アンカー）セルを提供することができる。移動体通信システムは、ＬＴＥベースおよび／またはＮＲベースであり得る。特に、ＬＴＥとＮＲとのミックスであり得、そして上記のＲ２−１６４８０９において議論されるように、４つの事例のうちの少なくとも１つに該当し得る。最小システム情報は、システム情報領域内のエンティティに関する情報をさらに含み得る。この情報は、例えば、同一のシステム情報領域内のエンティティの識別番号等を含むリストによって提供することができる。本明細書で使用されるとき、送信はまた、ブロードキャストおよびユニキャストを含むことができる。
【００４１】
回路は、要求に応じてシステム情報領域内のエンティティに関する情報を少なくとも１つのユーザ機器に送信するようにさらに構成され得る。ユーザ機器は、エンティティ（またはエンティティに要求を転送する別のエンティティ）に要求を送信することができ、エンティティは、この要求に応答して、要求に基づいてエンティティに関する情報を送信することができる。別の実施形態では、回路は、例えば関連するシステム情報が変更された場合に、ユーザ機器からの明示的な要求なしにシステム情報領域内のエンティティに関する情報を少なくとも1つのユーザ機器に送信するようにさらに構成され得る。
【００４２】
エンティティに関する情報は、ユーザ機器の移動速度および移動方向のうちの少なくとも一方に基づいて送信され得る。したがって、情報は、ユーザ機器の途中で（on the way of）ユーザ機器にサービスを提供し得るエンティティ（またはエンティティセル）に関する情報（のみ）を含み得る。ユーザ機器がエンティティのカバレッジエリア内にあり得る方向および確率は、ユーザ機器の移動速度および／または移動方向に基づいて推定することができる。
【００４３】
システム情報領域内の各エンティティは最小システム情報を送信することができる。
【００４４】
最小システム情報は、ユーザ機器からのアップリンク参照信号または測定報告のうちの少なくとも１つの検出時に送信され得る。したがって、最小システム情報の送信は、ユーザ機器がその参照信号および／または測定報告を送信することによってトリガされ得る。ユーザ機器は、ＩＤＬＥ、ＣＯＮＮＥＣＴＥＤ、およびＩＮＡＣＴＩＢＶＥ ＣＯＮＮＥＣＴＥＤのうちの少なくとも１つの状態にあり得る。
【００４５】
述べたように、エンティティはアンカーエンティティとして構成されてもよく、回路はシステム情報領域識別子情報を送信するように構成されてもよい。
【００４６】
回路は、システム情報領域内に位置する他のエンティティのシステム情報を送信するようにさらに構成され得る。他のエンティティのシステム情報は、最小システム情報および／または他のシステム情報（すなわち、最小システム情報によってカバーされないシステム情報）であり得る。
【００４７】
回路は、システム情報領域の他のエンティティと共通のシステム情報を送信するようにさらに構成される。共通システム情報は、共通サービスシステム情報および／または共通リソース関連情報を含み得る。共通サービス情報は、関連エンティティによって提供される共通サービスに関連し得る。例えば、いくつかの実施形態では、スマートメーターなどのｍＭＴＣ（大規模機械型通信端末）の場合、特定のエリア内のユーティリティメーターの間で共通のサービス構成が使用される。共通リソース関連情報は、関連エンティティによって提供される共通リソースに関連し得る。
【００４８】
別のアンカーエンティティ（すなわち、少なくとも２つのアンカーエンティティ）がシステム情報領域内に配置されてもよく、回路は、少なくとも２つのアンカーエンティティのための単一周波数ネットワーク、または少なくとも２つのアンカーエンティティのための異なるブロードキャストチャネルのうちの少なくとも１つに基づいて最小システム情報の送信を実行するようにさらに構成され得る。エンティティは、第１の移動体通信システムエンティティ（例えば、ＬＴＥベースまたはＮＲなど）であり得、他のアンカーエンティティは、第２の移動体通信システムエンティティ（たとえば、ＮＲベースまたはＬＴＥなど）であり得る。そのため、それらはＬＴＥやＮＲなど、同じ/異なる移動体通信システムに属している可能性がある。送信される最小システム情報は、第１の移動体通信システムおよび第２の移動体通信システムに関するシステム情報を含み得る。
【００４９】
最小システム情報は、最小システム情報がアンカーセルに関連付けられていることを示すため、および／または現在のセルがアンカーセルであることを示すためのインジケータを含み得る。インジケータは、例えば、セルがアンカーセルであることを示す１ビットであり得る。
【００５０】
それによって、ユーザ機器は、最小システム情報がアンカーエンティティから生じること、および／または他のセルからのシステム情報が、インジケータによって示されるアンカーセルから受信され得ることを知ることができる。いくつかの実施形態では、同期信号は、最小システム情報がアンカーセルに関連付けられていることを示すためのインジケータを含む。
【００５１】
回路は、アップリンク参照信号を受信することに応答して、アンカーエンティティシステム情報を送信するようにさらに構成され得る。
【００５２】
いくつかの実施形態では、システム情報領域構成は動的に変更することができる。システム情報領域構成の動的変更は、システム情報領域の分割、システム情報領域の併合、システム情報領域内のアンカーエンティティの変更、システム情報領域へのセルの追加、システム情報領域からのセルの削除のうちの少なくとも１つを含むことができる。
【００５３】
回路は、システム情報領域構成の変更に応答して、最小システム情報に含まれる更新されたシステム情報を送信するようにさらに構成され得る。更新されたシステム情報は、変更された構成を更新するためのシステム情報を含み得る。
【００５４】
回路は、システム情報領域構成の変更に応答して送信するようにさらに構成されてもよく、更新されたシステム情報はページングメッセージで送信される。
【００５５】
いくつかの実施形態は、少なくとも１つのユーザ機器にサービスを提供する少なくとも１つのアンカーセルエンティティを含む移動体通信システムのための移動体通信システムエンティティに関し、少なくとも１つのエンティティおよび少なくとも１つのユーザ機器は共通のシステム情報領域に配置され、少なくとも１つのアンカーセルエンティティは少なくとも１つのユーザ機器に最小システム情報を送信する。エンティティは、やはり上述したように、他のシステム情報およびスケジューリング情報のうちの少なくとも１つを少なくとも１つのユーザ機器に送信するように構成されている回路を備える。上述したように、他のシステム情報は最小システム情報によってカバーされないシステム情報である。スケジューリング情報は、それに従って（他のおよび／または最小の）システム情報が受信され得る時間／周波数／空間スケジューリングについてユーザ機器に通知するために時間／周波数／空間情報を含み得る。
【００５６】
他のシステム情報またはスケジューリング情報は、少なくとも１つのユーザ機器から送信された要求の受信に応答して送信され得る。要求は、アンカーエンティティとして構成されているエンティティに送信され得る。
【００５７】
他のシステム情報の内容は要求に基づいてもよい。
【００５８】
アンカーエンティティは、他のシステム情報を送信するように他のエンティティに通知することができ、要求は、ターゲットエンティティとして構成されているエンティティに送信することができる。ターゲットエンティティは、ユーザ機器によって入力されることになるターゲットセルにサービスすることができる。
【００５９】
回路は、要求に応じて、他のシステム情報をユーザ機器にユニキャストまたはブロードキャストするようにさらに構成され得る。
【００６０】
回路は、他のシステム情報を送信するようにアンカーエンティティに通知するようにさらに構成され得る。
【００６１】
いくつかの実施形態は、少なくとも１つのユーザ機器にサービスを提供する少なくとも１つのアンカーセルエンティティを含む移動体通信システムのための移動体通信システムエンティティに関し、少なくとも１つのエンティティおよび少なくとも１つのユーザ機器は共通システム情報領域に配置され、少なくとも１つのアンカーセルエンティティは、最小システム情報を少なくとも１つのユーザ機器に送信し、例えば上述したように、ハンドオーバコマンドにおいて、新しいシステム情報領域識別子、構成情報、およびアンカーエンティティ識別情報のうちの少なくとも１つを送信するように構成された回路を備える。
【００６２】
いくつかの実施形態は、ユーザ機器にサービスを提供する少なくとも１つのエンティティを含む移動体通信システムのためのユーザ機器に関し、少なくとも１つのエンティティおよびユーザ機器は共通システム情報領域に配置される。ユーザ機器は、例えば上述したように、システム情報領域識別子情報を含む最小システム情報を受信し、受信したシステム情報領域識別子情報に基づいて、新しいシステム情報領域が入力されたかどうか（whether a new system information area is entered）を判断するように構成された回路を備える。
【００６３】
回路は、システム情報領域内のエンティティに関する情報を受信するようにさらに構成され得る（エンティティがそのような情報を送信する場合、上記も参照のこと）。
【００６４】
回路は、システム情報領域内のエンティティに関する情報を要求するようにさらに構成され得る（エンティティも受信した要求に応答してこの情報を送信する場合、上記も参照）。
【００６５】
回路は、アップリンク参照信号および測定報告のうちの少なくとも１つを送信するようにさらに構成され得る（エンティティがアップリンク参照信号および／または測定報告を受信することによってトリガされるシステム情報を送信する場合、上記も参照）。
【００６６】
図１に戻ると、ＬＴＥ ｅＮｏｄｅＢ３によって確立されるマクロセル２を有するＲＡＮ１が示されており、これはまた例示的なアンカーエンティティであり得る。さらに、３つのピコセル４ａ、４ｂ、および４ｃが提供され、それらはそれぞれ、それぞれのＮＲ ｅＮｏｄｅＢ ５ａ、５ｂ、および５ｃによって確立される。ＮＲセル９４ａ〜９４ｃはまた、単一のＣＵ（中央ユニット）に接続された複数のＴＲＰ ／ ＤＵ（送信受信点／分散ユニット）を含み得る。
【００６７】
ＵＥ６は、ピコセル４ａ、４ｂ、および４ｃのうちの１つの中にある限り、ＬＴＥ ｅＮｏｄｅＢ ３と通信することができ、それぞれ関連するＮＲ ｅＮｏｄｅＢ ５ａ、５ｂ、および５ｃと通信することもできる。
【００６８】
この実施形態では、やはり上述したように、ＬＴＥ ｅＮｏｄｅＢ ３およびＮＲ ｅＮｏｄｅＢ ５ａ、５ｂ、および５ｃがシステム情報領域を形成する。システム情報領域は特定の識別子を有し、それに基づいてシステム情報領域を識別することができる。
【００６９】
ＵＥ６は移動してもよく（破線の矢印を参照）、この単純なモビリティシナリオでは、ＵＥ６は、ＵＥ６は、３つのＮＲセル４ａ〜４ｃなどの複数のＮＲスモールセルのカバレッジを通過する間、同じＬＴＥセル２のカバレッジの下に留まる。
【００７０】
以下では、システム領域識別子構成およびシステム情報配信のための様々な実施形態が説明される。
【００７１】
システム情報領域構成をＵＥに提供するためのいくつかの選択肢がある。
【００７２】
図２にも示されるように、１０で、ＬＴＥ ｅＮｏｄｅＢ ３、ＵＥ ６、およびＮＲ ｅＮｏｄｅＢ ５のためのメッセージ送信を示し、システム情報領域識別子およびこのシステム情報領域に含まれるエンティティのリスト（たとえばエンティティＩＤ）が、この例ではＬＴＥ ｅＮｏｄｅＢ ３である例えばＣＵまたはアンカーエンティティなどの1つか2つのエンティティによる最小システム情報において、ブロードキャストされる（あるいは、またはそれに加えて、ｅＮｏｄｅＢ５はまた、破線の矢印で１１で示されるように最小システム情報を送信し得る）。ＵＥ６は、エンティティのリストを含む最小システム情報を受信する。
【００７３】
このリストを用いて、ＵＥ６は、そのエンティティのシステム情報にアクセスする前であっても、例えばそのエンティティの識別子を含む同期信号から新しいエリアに移動するかどうかを決定することができる。
【００７４】
図３にも示されるように、この代替実施形態では、１５において、システム情報領域識別子が、１つまたは２つのエンティティ、例示的なＬＴＥ ｅＮｏｄＢ３によって最小システム情報においてブロードキャストされ、エンティティのリストはオンデマンド方式で送信できる。エンティティのリストを要求するために、ＵＥ６は、１６でｅＮｏｄｅＢ３に（または代替としてまたは破線の矢印１９で示すようにｅＮｏｄｅＢ５に追加して）それぞれの要求を送信することができ、ｅＮｏｄｅＢ３は、１８でエンティティのリストをＵＥ６に送信する（または２０でｅＮｏｄｅＢ５、破線の矢印）。
【００７５】
いくつかのＵＥは、そのようなＵＥについては、ＵＥが移動し始めたときにのみエンティティリストが送信され得るように、静的に維持（keep static）するか、または限られたモビリティを長期間にわたって有し得る。いくつかの実施形態では、ＵＥの移動速度および方向に基づいて、アンカーエンティティ、例えば ＬＴＥ ｅＮｏｄｅＢ３は、高い確率でＵＥによって通過するエンティティと共に部分リストを送信することができる。
【００７６】
図４に示すように、いくつかの実施形態では、各エンティティ、例えば、同じシステム情報領域内のＬＴＥ ｅＮｏｄｅＢ３およびＮＲ ｅＮｏｄｅＢ５は、２５および２６において、それ自体でそのシステム情報領域識別子を最小システム情報においてブロードキャストする。ＵＥ６は、そのエンティティのシステム情報にアクセスした後に、新しいエリアに移動するかどうかを判断する。
【００７７】
図５に示すように、３０でＵＥ６によって送信されたＵＬ参照信号または測定報告のトリガに基づいて、システム情報領域構成は、３１でＬＴＥ ｅＮｏｄｅＢ３（および／または破線の矢印で３２で示されるようにＮＲ ｅＮｏｄｅＢ５）によって送信され得る。
【００７８】
（ＩＤＬＥ、ＣＯＮＮＥＣＴＥＤまたはＩＮＡＣＴＩＶＥ ＣＯＮＮＥＣＴＥＤで）ネットワークにアクセスまたは再アクセスすることを望むＵＥ６は、３０に示すようにＵＬ参照信号を送信し始める。このＵＬ参照信号を受信した後、ＵＥ６にフィードバックを送信するためのエンティティ、例えばアンカーセル３または５が存在し、これはシステム情報領域構成および／または関連システム情報を含み得る。
【００７９】
ネットワークエンティティ（アンカーセル３または他の中央セル、たとえばＣＵ）が、ＵＥ６から受信した測定報告に基づいて、ＵＥ６がこれに近づいていると判断した場合、他の特定のエンティティ（例えば、ｅＮｏｄｅＢ５）では、３１に示されるように、アンカーセル、例えばＬＴＥ ｅＮｏｄｅＢ３にこれらのセル例えばＮＲ ｅＮｏｄｅＢ５セルの関連システム情報をＵＥ６に送信するようにトリガする。
【００８０】
以下では、アンカーセル構成に関する実施形態について説明する。
【００８１】
システム情報領域には、１つまたは複数のアンカーセルが存在し得る（たとえば、さらなるＬＴＥ ｅＮｏｄｅＢ３または例えばＮＲ ｅＮｏｄｅＢ５がアンカーセルとしても機能する）。
【００８２】
アンカーセルは、システム情報領域識別子を配布すること、および／またはシステム情報領域内の他のセルのシステム情報を送信することを担当することができる。
【００８３】
アンカーセルは、システム情報領域固有のものでもよく、例えば中央ユニットでもよいし、または図１の例のＬＴＥセル２のように特定のシステム情報領域内で最も広いカバレッジを有するセルでもよい。
【００８４】
別の実施形態では、システム情報領域はサービス固有であり得る。例えば、同じサービス、例えばＭＢＢまたはｍＴＭＣを提供する全ての隣接セルが、システム情報領域を形成する。それから、共通サービス／リソース関連システム情報は、アンカーセル例えばＬＴＥ ｅＮｏｄｅＢ３によって送信される。
【００８５】
システム情報領域には、複数のアンカーセルを配置できる。例えば、システム情報領域が非常に大きい実施形態の場合、ロバスト性を改善し、かつ／または受信精度を維持するために、いくつかのアンカーセルを構成することができる。
【００８６】
システム情報領域内に複数のアンカーセルを有する実施形態では、システム情報の送信はＳＦＮ（この場合、すべてのアンカーセルが同じシステム情報を送信する）によって実現されることができ、システム情報の送信はＳＦＮ（この場合、すべてのアンカーセルが同じシステム情報を送信する）によって実現されることができ、あるいは異なるアンカーセルが異なるブロードキャストチャネルを例えばセルＩＤに従って構成することになる。（この場合、異なるアンカーセルは同じまたは異なるシステム情報を送信することができる）。
【００８７】
異なるアンカーセルが異なるシステム情報を送信する実施形態の一例では、例えば、ＬＴＥアンカーセル（例えば、ＬＴＥ ｅＮｏｄｅＢ３）は、ＬＴＥ無線のみを用いてＵＥにサービスを提供し、したがって、ＬＴＥセルのシステム情報のみを収集する一方で、同じシステム情報領域内に、ＮＲセルとＬＴＥセルの両方のシステム情報を収集するように、すべてのＵＥにサービスを提供する別のＮＲアンカーセル（例えば、図１の５ａ、５ｂおよび５ｃ）がある。
【００８８】
いくつかの実施形態では、ＮＲシステム情報とＬＴＥシステム情報との組み合わせが１つのアンカーセル内で提供される場合、ＮＲシステム情報とＬＴＥシステム情報とを異なるＳＩＢ（システム情報ブロック）、例えばＮＲ−ＳＩＢまたはＬＴＥ−ＳＩＢで分離することができる。他の実施形態では、最小システム情報は、どのＳＩＢがＬＴＥ関連であり、どのＳＩＢがＮＲ関連であるかを示すためのインデックスタグを含む。
【００８９】
いくつかの実施形態では、セルがアンカーセル（またはそうでない）であることを示すために、例えば１ビットのインジケータが提供され、インジケータは、例えば、最小システム情報に含めることができる。このインジケータを用いて、ＵＥは、他のセルのシステム情報がこのセルにおいて期待されるかどうかを知る。
【００９０】
いくつかの実施形態では、アンカーセルのインジケータは、例えばそのセルの同期信号に例えば、特別なシーケンスグループを使って暗黙的に含めることができる。したがって、ＵＥがそのセルのシステム情報にアクセスする前であっても、ＵＥは、同期信号に基づいて、そのセルにアクセスしなければならないかどうかを決定することができる。
【００９１】
いくつかの実施形態では、やはり図６に示されているように、ネットワークにアクセス／再アクセスしたい（ＩＤＬＥ、ＣＯＮＮＥＣＴＥＤまたはＩＮＡＮＴＩＶＥ ＣＯＮＮＥＣＴＥＤで）ＵＥは、３５でＵＬ参照信号を送信し始めることができる。このＵＬ参照信号を受信した後、例えば最良の無線リンク品質を持つエンティティおよび図６に示す例示的なＬＴＥ ｅＮｏｄｅＢ３が存在し、ＬＴＥ ｅＮｏｄｅＢ３は３６でＵＥ６にフィードバックを送信する。ここで、フィードバックはアンカーＳＩセル情報を含むことができる。
【００９２】
以下では、同じシステム情報領域内のシステム情報提供に関する実施形態について説明する。
【００９３】
オーバーレイノードがあるかどうか、または異なるノード間に共通のＳＩがあるかどうかに応じて４つの異なるシナリオが論じられる上述のＲ２−１６４８０９とは異なり、いくつかの実施形態では、システム情報を配信するための共通フレームワークが提供される。
【００９４】
図７にも示すように、４０でアンカーセル、例えばＬＴＥ ｅＮｏｄｅＢ ３は、同じシステム情報領域内の他のセル、例えばＮＲ ｅＮｏｄｅＢ ５の最小システム情報またはスケジューリング情報を収集し、次いでそれらを４１でＵＥに分配する。
【００９５】
以下では、最小システム情報に加えて他のシステム情報を提供することに関する実施形態について説明する。
【００９６】
いくつかの実施形態では、他のシステム情報送信はＵＥの要求によってトリガされる。
【００９７】
図８に示すように、４５において、ＵＥ６は要求をアンカーセル、例えばＬＴＥ ｅＮｏｄｅＢ３に送信する。要求は、どのような種類のＳＩＢおよび／またはターゲットセルが期待されるかを含むことができる。
【００９８】
要求に応じて、アンカーセル、例えばＬＴＥ ｅＮｏｄｅＢ３は、４６において、関連するＳＩＢをＵＥ６にブロードキャストまたはユニキャストする。
【００９９】
代替的に（または追加的に）、アンカーセル、例えばＬＴＥ ｅＮｏｄｅＢ３は、４７において、要求ＳＩＢ（demanding SIBs）をターゲットセル、例えばＮＲ ｅＮｏｄｅＢ５に通知し、次いでターゲットセル、例えばＮＲ ｅＮｏｄｅＢ５は４８でＵＥ６にそれをブロードキャストまたはユニキャストする。
【０１００】
図９に示されるように、代替実施形態では、５０において、ＵＥ６は要求をターゲットセル、例えばＮＲ ｅＮｏｄｅＢ５に送信する。次に、要求に応じて、ターゲットセル、例えば ＮＲ ｅＮｏｄｅＢ５は、５１で、要求された情報をＵＥ ６にブロードキャストまたはユニキャストする。
【０１０１】
代替的に（または追加的に）、５２において、ターゲットセル、例えばＮＲ ｅＮｏｄｅＢ５がアンカーセル、例えばＬＴＥ ｅＮｏｄｅＢ３にこの要求を通知する。そして、要求に応じて、アンカーセル、例えばＬＴＥ ｅＮｏｄｅＢ３が、５３で、要求された情報をＵＥ６にブロードキャストまたはユニキャストする。
【０１０２】
図８および図９両方の代替例において、アンカーセルによるブロードキャストもサポートされ得る。潜在的なシナリオは、異なるターゲットセル内に位置するＵＥから同じ要求が受信されるものであり、アンカーセルによるそれぞれの情報のブロードキャストは、各ターゲットセルによりシステム情報を個別に送信することよりも良い選択であり得る。
【０１０３】
いくつかの実施形態では、他のシステム情報送信はネットワーク側によってトリガされ得る。
【０１０４】
図１０にも示すように、そのような実施形態では、５５で、ターゲットセル、例えばＮＲ ｅＮｏｄｅＢ５が関連ＳＩＢをアンカーセル、例えばＬＴＥ ｅＮｏｄｅＢ５に送信する。アンカーセル、例えば、ｅＮｏｄｅＢ５は、５６でそれをＵＥ６にブロードキャスト／ユニキャストする。
【０１０５】
あるいは、ターゲットセル、例えばＮＲ ｅＮｏｄｅＢ５は、５７において、それ自体でそれをブロードキャスト／ユニキャストする。
【０１０６】
以下では、異なるシステム情報領域にわたるシステム情報の提供に関する実施形態について説明する。
【０１０７】
図１１にも示されるように、ＵＥ６がハンドオーバを介して異なるシステム情報領域内のセルにアクセスする場合、例えばＬＴＥ ｅＮｏｄｅＢ３によって６０で送信されるハンドオーバコマンドにおいて、アンカーセルＩＤと同様に新しいシステム情報領域識別子および／またはその構成（例えばセルリスト）がハンドオーバコマンドに含まれる。
【０１０８】
ＵＥがＩＤＬＥEまたはＩＮＡＣＴＩＶＥ＿ＣＯＮＮＥＣＴＥＤ状態にあり、新しいシステム情報領域に移動した場合、ＵＥは、ブロードキャストシステム情報内（６２で）のシステム情報領域識別子から、または以前のシステム情報領域セルリストにないセルＩＤからそのことを検出する。以前の例に示されるように、例えば同期信号またはＵＬ参照信号へのフィードバックからＵＥがアンカーセルＩＤを知っている場合、ＵＥは、アンカーセルにアクセスし、アンカーセル、例えばＬＴＥ ｅＮｏｄｅＢ３から直接システム情報を得ることができる。
【０１０９】
以下では、システム情報領域再構成に関する実施形態について説明する。
【０１１０】
いくつかの実施形態では、動的システム情報領域構成がサポートされている。動的な構成は、例えば、 システム情報領域の分割／併合、システム情報領域内のアンカーセルの変更、セルの追加／削除、例えば１つのシステム情報領域内の新たに起動されたＵＥセル、ネットワーク負荷などを含む。
【０１１１】
また図１２に示されるように、システム情報領域構成を変更した後、採用された代替案に応じて、アンカーセル、例えばＬＴＥ ｅＮｏｄｅＢ３（上記の図３、４および５も参照のこと）は、６５で、最小システム情報において更新された構成を送信する。
【０１１２】
代替として、新しい構成領域（例えば、上記の図５）内の各セル、例えばＬＴＥ ｅＮｏｄｅＢ３およびＮＲ ｅＮｏｄｅＢ５は、最小システム情報において更新された構成を６６で送信する（また、更新前に変更があるかどうかを示してもよい）。
【０１１３】
ＩＤＬＥ状態またはＩＮＡＣＴＩＶＥ状態のＵＥについては、ページングメッセージを使用して、新しいシステム情報領域関連の構成および／または更新されたシステム情報を示すことができる。
【０１１４】
いくつかの実施形態は、将来の通信システムのためのシステム情報の送信／受信に焦点を合わせている。提案された方式のうちのいくつかによって、システム情報を受信するためのシグナリングオーバーヘッドが低減され得、そしてＳＩ送信／受信効率も同様に改善され得る。
【０１１５】
以下では、汎用コンピュータ１３０の一実施形態を図１３を参照して説明する。コンピュータ１３０は、それが基本的に任意の種類のエンティティ、基地局もしくは新しい無線基地局、送信および受信ポイント、または本明細書に記載されるようなユーザ機器として機能することができるように実装することができる。コンピュータは、本明細書で説明されるように、エンティティ、基地局、およびユーザ機器の回路のうちの任意の１つなどの回路を形成することができる構成要素１３１〜１４０を有する。
【０１１６】
本明細書に記載の方法を実行するためにソフトウェア、ファームウェア、プログラムなどを使用する実施形態は、コンピュータ１３０にインストールすることができ、コンピュータ１３０は具体的な実施形態に適するように構成される。
【０１１７】
コンピュータ１３０は、例えば読み出し専用メモリ（ＲＯＭ）１３２に格納された、記憶装置１３７に記憶されランダムアクセスメモリにロードされた、それぞれのドライブ１３９などに挿入することができる媒体１４０に格納されたプログラムに従って本明細書に記載されているような様々な種類の手順および方法を実行することができるＣＰＵ１３１（中央処理装置）を有する。
【０１１８】
ＣＰＵ１３１、ＲＯＭ１３２、およびＲＡＭ１３３はバス１４１に接続されており、バス１４１には入出力インターフェース１３４が接続されている。ＣＰＵ、メモリおよび記憶装置の数は単なる例示であり、当業者であれば、コンピュータ１３０が基地局およびユーザ機器として機能するときに生じる特定の要件を満たすようにコンピュータ１３０を適合させ、構成できることを理解できよう。
【０１１９】
入出力インターフェース１３４には、いくつかの構成要素、すなわち入力１３５、出力１３６、記憶装置１３７、通信インターフェース１３８、およびドライブ１３９が接続されている。ドライブ１３９には、媒体１４０（コンパクトディスク、デジタルビデオディスク、コンパクトフラッシュ（登録商標）メモリ、など）を挿入できる。
【０１２０】
入力１３５は、ポインタ装置（マウス、グラフィックテーブルなど）、キーボード、マイクロフォン、カメラ、タッチスクリーンなどとすることができる。
【０１２１】
出力１３６は、ディスプレイ（液晶ディスプレイ、陰極線管ディスプレイ、発光ダイオードディスプレイなど）、拡声器などを有することができる。
【０１２２】
記憶装置１３７は、ハードディスク、ソリッドステートドライブなどを有することができる。
【０１２３】
通信インターフェース１３８は、例えば、ローカルエリアネットワーク（ＬＡＮ）、無線ローカルエリアネットワーク（ＷＬＡＮ）、移動体通信システム（ＧＳＭ（登録商標）、ＵＭＴＳ、ＬＴＥなど）、Ｂｌｕｅｔｏｏｔｈ（登録商標）、赤外線などを介して通信するように構成することができる。
【０１２４】
上記の説明は、コンピュータ１３０の例示的な構成にのみ関連することに留意されたい。追加のまたは他のセンサ、記憶装置、インターフェースなどを用いて代替構成を実施することができる。例えば、通信インターフェース１３８は、言及したＵＭＴＳおよびＬＴＥ以外の他の無線アクセス技術をサポートしてもよい。
【０１２５】
コンピュータ１３０が基地局として機能するとき、通信インターフェース１３８は、それぞれのエアインタフェース（例えば、Ｅ−ＵＴＲＡプロトコルＯＦＤＭＡ（ダウンリンク）およびＳＣ−ＦＤＭＡ（アップリンク）を提供する）およびネットワークインタフェース（例えば、Ｓ１−ＡＰ、ＧＴＰ−Ｕ、Ｓ１−ＭＭＥ、Ｘ２−ＡＰなど）をさらに有することができる。さらに、コンピュータ１３０は、１つまたは複数のアンテナおよび／またはアンテナアレイを有することができる。本開示は、そのようなプロトコルのいかなる特定性にも限定されない。
【０１２６】
本明細書に記載の方法は、いくつかの実施形態では、コンピュータおよび／またはプロセッサおよび／または回路上で実行されると、コンピュータおよび／またはプロセッサおよび／または回路に方法を実行させるコンピュータプログラムとしても実装される。いくつかの実施形態では、コンピュータプログラム製品を格納する非一時的コンピュータ可読記録媒体も提供され、それは、上述のプロセッサ／回路などのプロセッサ／回路によって実行されると、本明細書に記載の方法が実行される。
【０１２７】
実施形態は、方法ステップの例示的な順序で方法を説明していることを認識されたい。しかしながら、方法ステップの具体的な順序は説明の目的のためだけに与えられており、拘束力があると解釈されるべきではない。例えば、図２から図１２の順序を入れ替えてもよい。
【０１２８】
図１３の制御または回路のユニット１３１〜１４０への分割は説明の目的のためだけになされたものであり、本開示は特定のユニットにおける特定の機能の分割に限定されないことに留意されたい。例えば、回路の少なくとも一部は、それぞれのプログラムされたプロセッサ、フィールドプログラマブルゲートアレイ（ＦＰＧＡ）、専用回路などによって実施され得る。
【０１２９】
本明細書に記載され特許請求の範囲に請求されるすべてのユニットおよびエンティティは、特に断らない限り、例えばチップ上に集積回路ロジックとして実装することができ、そのようなユニットおよびエンティティによって提供される機能は、特に明記しない限り、ソフトウェアによって実装することができる。
【０１３０】
上述の開示の実施形態が少なくとも部分的にソフトウェア制御データ処理装置を使用して実施される限りにおいて、そのようなソフトウェア制御を提供するコンピュータプログラムおよびそれを伝送するための伝送、記憶または他の媒体は理解されるであろう。 本開示の態様として、コンピュータプログラムが提供されることが想定される。そのようなソフトウェア制御を提供するコンピュータプログラム、およびそのようなコンピュータプログラムが提供される伝送、記憶、または他の媒体が本開示の態様として想定されることを理解されよう。
【０１３１】
なお、本技術は以下のように構成することもできる。
（１）
少なくとも１つのユーザ機器にサービスを提供する少なくとも１つのエンティティを含む移動体通信システムのための移動体通信システムアンカーエンティティであって、
前記少なくとも１つのエンティティおよび前記少なくとも１つのユーザ機器は共通のシステム情報領域に配置され、
最小システム情報が、前記少なくとも１つのユーザ機器に送信され、前記最小システム情報は、システム情報領域識別子情報を含むように構成された回路を備えた
移動体通信システムアンカーエンティティ。
（２）
（１）に記載の移動体通信システムアンカーエンティティであって、
前記最小システム情報は、前記システム情報領域内のエンティティに関する情報を含む移動体通信システムアンカーエンティティ。
（３）
（１）または（２）に記載の移動体通信システムアンカーエンティティであって、
前記回路は、要求に応じて前記システム情報領域内のエンティティに関する情報を前記少なくとも１つのユーザ機器に送信するようにさらに構成されている移動体通信システムアンカーエンティティ。
（４）
（３）に記載の移動体通信システムアンカーエンティティであって、
エンティティに関する前記情報は、前記ユーザ装置の移動速度および移動方向のうちの少なくとも１つに基づいて送信される移動体通信システムアンカーエンティティ。
（５）
（１）から（４）のいずれかに記載の移動体通信システムアンカーエンティティであって、
前記システム情報領域内の各エンティティが前記最小システム情報を送信する移動体通信システムアンカーエンティティ。
（６）
（１）から（５）のいずれかに記載の移動体通信システムアンカーエンティティであって、
前記最小システム情報は、前記ユーザ機器からのアップリンク参照信号または測定報告のうちの少なくとも１つの検出時に送信される移動体通信システムアンカーエンティティ。
（７）
（６）に記載の移動体通信システムのアンカーエンティティであって、
前記ユーザ機器は、ＩＤＬＥ、ＣＯＮＮＥＣＴＥＤ、およびＩＮＡＣＴＩＶＥ ＣＯＮＮＥＣＴＥＤのうちの少なくとも１つの状態にある移動体通信システムアンカーエンティティ。
（８）
（１）から（７）のいずれかに記載の移動体通信システムアンカーエンティティであって、
前記回路は、前記システム情報領域識別子情報を送信するように構成されている移動体通信システムアンカーエンティティ。
（９）
（８）に記載の移動体通信システムのアンカーエンティティであって、
前記回路は、前記システム情報領域内に位置する他のエンティティのシステム情報を送信するようにさらに構成されている移動体通信システムのアンカーエンティティ。
（１０）
（８）または（９）に記載の移動体通信システムアンカーエンティティであって、
前記回路は、前記システム情報領域の他のエンティティと共通のシステム情報を送信するようにさらに構成されている移動体通信システムアンカーエンティティ。
（１１）
（１０）に記載の移動体通信システムアンカーエンティティであって、
前記共通のシステム情報は、共通サービスシステム情報を含む移動体通信システムアンカーエンティティ。
（１２）
（１０）または（１１）に記載の移動体通信システムアンカーエンティティであって、
前記共通のシステム情報は、共通リソース関連情報を含む移動体通信システムアンカーエンティティ。
（１３）
（８）から（１２）のいずれかに記載の移動体通信システムアンカーエンティティであって、
他のアンカーエンティティが前記システム情報領域内に配置され、前記回路は、少なくとも２つの前記アンカーエンティティのための単一周波数ネットワーク、または少なくとも２つの前記アンカーエンティティのための異なるブロードキャストチャネルのうちの少なくとも１つに基づいて前記最小システム情報の送信を実行するようにさらに構成される移動体通信システムアンカーエンティティ。
（１４）
（１３）に記載の移動体通信システムアンカーエンティティであって、
エンティティは第１の移動体通信システムエンティティであり、他のアンカーエンティティは第２の移動体通信システムエンティティであり、送信される前記最小システム情報は、第１の移動体通信システムおよび第２の移動体通信システムに関するシステム情報を含む移動体通信システムアンカーエンティティ。
（１５）
（１）から（１４）のいずれかに記載の移動体通信システムアンカーエンティティであって、
前記最小システム情報は、アンカーセルを示すためのインジケータを含む移動体通信システムアンカーエンティティ。
（１６）
（１）から（１５）のいずれかに記載の移動体通信システムアンカーエンティティであって、
同期信号は、アンカーセルを示すためのインジケータを含む移動体通信システムアンカーエンティティ。
（１７）
（１）から（１６）のいずれかに記載の移動体通信システムアンカーエンティティであって、
前記回路は、アップリンク参照信号の受信に応答して、アンカーエンティティシステム情報を送信するようにさらに構成されている移動体通信システムアンカーエンティティ。
（１８）
（１）から（１７）のいずれかに記載の移動体通信システムアンカーエンティティであって、
前記システム情報領域構成は動的に変更可能である移動体通信システムアンカーエンティティ。
（１９）
（１８）に記載の移動体通信システムアンカーエンティティであって、
前記システム情報領域構成の動的変更は、前記システム情報領域の分割、システム情報領域の併合、前記システム情報領域内のアンカーエンティティの変更、前記システム情報領域へのセルの追加、前記システム情報領域からのセルの削除のうちの少なくとも１つを含む移動体通信システムアンカーエンティティ。
（２０）
（１８）または（１９）に記載の移動体通信システムアンカーエンティティであって、
前記回路は、前記システム情報領域構成の変更に応答して、前記最小システム情報に含まれる更新されたシステム情報を送信するようにさらに構成される移動体通信システムアンカーエンティティ。
（２１）
（１８）から（２０）のいずれかに記載の移動体通信システムアンカーエンティティであって、
前記回路は、前記システム情報領域構成の変更に応答してページングメッセージで更新されたシステム情報を送信するようにさらに構成される移動体通信システムアンカーエンティティ。
（２２）
少なくとも１つのユーザ機器にサービスを提供する少なくとも１つのアンカーセルエンティティを含む移動体通信システムのための移動体通信システムエンティティであって、
前記少なくとも１つのエンティティおよび前記少なくとも１つのユーザ機器は、共通システム情報領域に配置され、前記少なくとも１つのアンカーセルエンティティは、最小システム情報を前記少なくとも１つのユーザ機器に送信し、
他のシステム情報およびスケジューリング情報のうちの少なくとも１つを前記少なくとも１つのユーザ機器に送信する回路を備えた
移動体通信システムエンティティ。
（２３）
（２２）に記載の移動体通信システムエンティティであって、
前記他のシステム情報またはスケジューリング情報は、前記少なくとも１つのユーザ機器から送信された要求の受信に応答して送信される移動体通信システムエンティティ。
（２４）
（２３）に記載の移動体通信システムエンティティであって、
前記要求は、アンカーエンティティとして構成されている前記エンティティに送信される移動体通信システムエンティティ。
（２５）
（２４）に記載の移動体通信システムエンティティであって、
前記他のシステム情報の内容は、前記要求に基づいている移動体通信システムエンティティ。
（２６）
（２４）に記載の移動体通信システムエンティティであって、
前記アンカーエンティティは、前記他のシステム情報を送信するように他のエンティティに通知する移動体通信システムエンティティ。
（２７）
（２３）から（２６）のいずれかに記載の移動体通信システムエンティティであって、
前記要求は、ターゲットエンティティとして構成されている前記エンティティに送信される移動体通信システムエンティティ。
（２８）
（２７）に記載の移動体通信システムエンティティであって、
前記回路は、前記要求に応じて、前記他のシステム情報を前記ユーザ機器にユニキャストまたはブロードキャストするようにさらに構成されている移動体通信システムエンティティ。
（２９）
（２７）または（２８）に記載の移動体通信システムエンティティであって、
前記回路は、前記他のシステム情報を送信するように前記アンカーエンティティに通知するようにさらに構成されている移動体通信システムエンティティ。
（３０）
少なくとも１つのユーザ機器にサービスを提供する少なくとも１つのアンカーセルエンティティを含む移動体通信システムのための移動体通信システムエンティティであって、
前記少なくとも１つのエンティティおよび前記少なくとも１つのユーザ機器は共通システム情報領域に配置され、前記少なくとも１つのアンカーセルエンティティは、最小システム情報を前記少なくとも１つのユーザ機器に送信し、
ハンドオーバコマンドにおいて、新しいシステム情報領域識別子、構成情報、およびアンカーエンティティ識別子のうちの少なくとも１つを送信するように構成された回路を備えた
移動体通信システムエンティティ。
（３１）
ユーザ機器にサービスを提供する少なくとも１つのエンティティを含む移動体通信システムのためのユーザ機器であって、
前記少なくとも１つのエンティティおよび前記ユーザ機器は共通システム情報領域に配置され、
前記ユーザ機器は、
システム情報領域識別子情報を含む最小システム情報を受信し、
受信した前記システム情報領域識別子情報に基づいて、新しいシステム情報領域が入力されたかどうか（whether a new system information area is entered）を判定する
ように構成された回路を備える
ユーザ機器。
（３２）
（３１）に記載のユーザ機器であって、
前記回路は、前記システム情報領域内のエンティティについての情報を受信するようにさらに構成されているユーザ機器。
（３３）
（３２）に記載のユーザ機器であって、
前記回路は、前記システム情報領域内のエンティティに関する前記情報を要求するようにさらに構成されているユーザ機器。
（３４）
（３１）から（３３）のいずれかに記載のユーザ機器であって、
前記回路は、アップリンク参照信号および測定報告のうちの少なくとも１つを送信するようにさらに構成されているユーザ機器。
【図１】
2019535200.tif 000003
【図２】
2019535200.tif 000004
【図３】
2019535200.tif 000005
【図４】
2019535200.tif 000006
【図５】
2019535200.tif 000007
【図６】
2019535200.tif 000008
【図７】
2019535200.tif 000009
【図８】
2019535200.tif 000010
【図９】
2019535200.tif 000011
【図１０】
2019535200.tif 000012
【図１１】
2019535200.tif 000013
【図１２】
2019535200.tif 000014
【図１３】
2019535200.tif 000015
【国際調査報告】
2019535200.tif 000016
2019535200.tif 000017
2019535200.tif 000018
2019535200.tif 000019
2019535200.tif 000020
2019535200.tif 000021